(57)【要約】【課題】本発明が解決しようとする課題は、容易かつ安全に利用媒体の利用履歴を確認できる情報提供システム、券媒体処理装置、及び情報提供プログラムを提供することである。【解決手段】実施形態の情報提供システムは、読取部と、サイト作成部と、変換部と、表示部と、を備える。読取部は、利用者により提示される券媒体から識別番号と、利用履歴と、を含む券情報を読み取る。サイト作成部は、前記読取部が読み取る券情報に基づいてＷＥＢサイトを作成する。変換部は、前記サイト作成部が作成するＷＥＢサイトのＵＲＬを二次元コードに変換する。表示部は、前記変換部により変換された二次元コードを表示する。【選択図】  図１
2018147372.tif 000002
【特許請求の範囲】
【請求項１】
利用者により提示される券媒体から識別番号と、利用履歴と、を含む券情報を読み取る読取部と、
前記読取部が読み取る券情報に基づいてＷＥＢサイトを作成するサイト作成部と、
前記サイト作成部が作成するＷＥＢサイトのＵＲＬを二次元コードに変換する変換部と、
前記変換部により変換された二次元コードを表示する表示部と、
を備える情報提供システム。
【請求項２】
前記情報提供システムは、
利用者による操作入力を受け付ける操作部をさらに備え、
前記操作部が前記ＵＲＬを二次元コードで表示する要求を受け付けた場合に、前記サイト作成部がＷＥＢサイトを作成する、
請求項１に記載の情報提供システム。
【請求項３】
前記情報提供システムは、
前記識別番号の一部と、前記利用履歴と、前記二次元コードに変換されたＵＲＬと、が印字された明細書を発行する発行部をさらに備える、
請求項１又は請求項２に記載の情報提供システム。
【請求項４】
上位装置と通信回線を介して接続された券媒体処理装置であって、
利用者により提示される券媒体から識別番号及び利用履歴を含む券情報を読み取る読取部と、
前記読取部が読み取った券情報を上位装置に送信し、前記券情報が記載されたサイトのＵＲＬを上位装置から受信するための通信部と、
前記通信部が受信するＵＲＬを二次元コードに変換する変換部と、
前記変換部により変換された二次元コードを表示する表示部と、
を備える券媒体処理装置。
【請求項５】
上位装置と通信回線を介して接続された券媒体処理装置が備える情報提供プログラムであって、
利用者により提示される券媒体から識別番号及び利用履歴を含む券情報を読み取る手順と、
前記券情報を上位装置に送信し、前記券情報が記載されたサイトのＵＲＬを上位装置から受信するための手順と、
前記ＵＲＬを二次元コードに変換する手順と、
前記二次元コードを表示する手順と、
をコンピュータに実行させる情報提供プログラム。
【発明の詳細な説明】
【技術分野】
【０００１】
本発明の実施形態は、情報提供システム、券媒体処理装置、及び情報提供プログラムに関する。
【背景技術】
【０００２】
鉄道の駅等に設置される券媒体処理装置は、入場券、乗車券、定期券、ストアードフェアカード（ＳＦカード）などの利用媒体の発行や、利用媒体に対する種々の処理を行う。
【０００３】
近年、利用媒体として、駅務機器と無線でデータの送受信を行うことにより、種々の処理を受け付けることができるＩＣ（Ｉｎｔｅｇｒａｔｅｄ  Ｃｉｒｃｕｉｔ）を有したＩＣカードが利用媒体として普及している。
【０００４】
ＩＣカードの利用履歴を確認する場合、券媒体処理装置に情報を読み取らせ、その利用履歴を紙媒体に印字して確認する方法と、もしくは、券媒体処理装置の表示画面で確認する方法と、駅係員にＩＣカードを提示し、駅係員操作の下、定期券発行機に情報を読み取らせて、利用履歴を紙媒体に印字して確認する方法と、もしくは、紙媒体に印字された、利用履歴が閲覧できるＵＲＬにアクセスしてＷＥＢサイトで確認する方法が存在した。
【０００５】
券媒体処理装置を用いて利用履歴を確認する場合、ＷＥＢサイトで確認できないことや、電子ファイルへの出力ができないなどの欠点があった。一方で、定期券発行機を用いて利用履歴を確認する場合、駅窓口内で駅係員が処理を行う必要があるため、プライバシーやセキュリティ上の問題が存在していた。その上、定期券発行機が発行する利用履歴が印字された紙媒体には、利用履歴が閲覧できるＷＥＢサイトのＵＲＬと、ＷＥＢサイトへログインするためのパスが両者とも印字されているため、当該紙媒体を紛失した場合は、悪用されるリスクが高かいなどの問題が存在している。
【先行技術文献】
【特許文献】
【０００６】
【特許文献１】特開２０１０−１３４７８３号公報
【発明の概要】
【発明が解決しようとする課題】
【０００７】
本発明が解決しようとする課題は、容易かつ安全に利用媒体の利用履歴を確認できる情報提供システム、券媒体処理装置、及び情報提供プログラムを提供することである。
【課題を解決するための手段】
【０００８】
実施形態の情報提供システムは、読取部と、サイト作成部と、変換部と、表示部と、を備える。読取部は、利用者により提示される券媒体から識別番号と、利用履歴と、を含む券情報を読み取る。サイト作成部は、前記読取部が読み取る券情報に基づいてＷＥＢサイトを作成する。変換部は、前記サイト作成部が作成するＷＥＢサイトのＵＲＬを二次元コードに変換する。表示部は、前記変換部により変換された二次元コードを表示する。
【図面の簡単な説明】
【０００９】
【図１】実施形態に係る情報提供システムの装置構成の一例を示すブロック図。
【図２】実施形態に係るＩＣカードが記憶する利用履歴の一例を示す図。
【図３】実施形態に係る券媒体処理装置の機能構成の一例を示す図。
【図４】実施形態に係る上位装置の機能構成の一例を示す図。
【図５】実施形態に係る券媒体処理装置に表示される利用履歴の表示画面の一例を示す図。
【図６】実施形態に係る券媒体処理装置に二次元コードを表示させた表示画面の一例を示す図。
【図７】実施形態に係る券媒体処理装置が発行する明細書の一例を示す図。
【図８】実施形態に係る上位装置が作成するサイトログインページの一例を示す図。
【図９】実施形態に係る上位装置が作成する利用履歴閲覧ページの一例を示す図。
【図１０】実施形態に係る券媒体処理装置が二次元コードを表示する流れの一例を示すシーケンス図。
【発明を実施するための形態】
【００１０】
以下、図面を参照しつつ、実施形態に係る情報提供システム１、券媒体処理装置１１、及び情報提供プログラムについて説明する。
【００１１】
まず、図１を参照して、情報提供システム１の構成について説明する。図１は、実施形態に係る情報提供システム１の装置構成の一例を示す図である。情報提供システム１は、券媒体処理装置１１、及び上位装置１０を備える。また、携帯端末１４と上位装置１０、上位装置１０と券媒体処理装置１１、券媒体処理装置１１とＩＣカード１２、ＩＣカード１２と改札機１３は、それぞれ通信回線を介して接続され、情報の送受信を行う。
【００１２】
券媒体処理装置１１は、例えば、鉄道などの交通機関における駅に設置され、利用者が直接操作することで情報の入力を受け付け、乗車券などの券媒体の発行や、券媒体に対する処理を行うものである。券媒体が乗車券である場合には、例えば、普通乗車券や、回数券もしくは企画券などの特殊乗車券などが存在する。券媒体処理装置１１は、提示される乗車券が磁気券の場合は、例えば、払い戻し精算などの処理を行う。また、提示される乗車券がＩＣカード１２の場合は、例えば、入金処理（チャージ）や、ＩＣカード１２の利用履歴２０の表示などの処理を行う。
【００１３】
上位装置１０は、券媒体処理装置１１が行った乗車券の発行や、払い戻し精算などの履歴情報を券媒体処理装置１１から受信し、記憶する。また、上位装置１０は、利用者がＩＣカード１２の利用履歴２０を閲覧するためのＷＥＢサイトのデータ（ＨＴＭＬデータ）を作成し、所定の期間保持する。
【００１４】
上位装置１０は、券媒体処理装置１１が取得したＩＣカード１２の識別番号、及び利用履歴２０に基づいて識別番号ごとにＷＥＢサイト（ＨＴＭＬデータ）を作成する。上位装置１０は、利用履歴２０を閲覧する為の利用履歴閲覧ページ９０を作成し、記憶する。また、上位装置１０は、利用履歴閲覧ページ９０にログインするためのログインページ８０を作成し、記憶する。
【００１５】
上位装置１０は、作成したＷＥＢサイトのＵＲＬを券媒体処理装置１１に送信する。
【００１６】
ＩＣカード１２は、券媒体処理装置１１や改札機１３など様々な駅務機器と無線でデータの送受信を行うことにより、種々の処理を受け付けることができるＩＣ（Ｉｎｔｅｇｒａｔｅｄ  Ｃｉｒｃｕｉｔ）を有した券媒体である。また、ＩＣカード１２は、記憶部３３を有しており、例えば、定期券、運賃精算のためのＳＦ（Ｓｔｏｒｅｄ  Ｆａｒｅ）カード、あるいは、運賃精算のための料金後払い方式のカードとしてＩＣカード１２を使用するための券情報を記憶する。例えば、ＩＣカード１２は、それぞれ固有の識別番号、利用履歴２０、残額、定期券情報、などを記憶する。
【００１７】
改札機１３は、ＩＣカード１２とデータの送受信を行う機器の一つとして例示したものである。
【００１８】
改札機１３は、駅の改札口などに設置され、利用者が提示する乗車券に対して入出場処理を行う。有効な券情報が記憶されたＩＣカード１２が改札機１３に提示された場合、改札機１３は、ＩＣカード１２を所持する利用者の通行を許可する。また、改札機１３は、日時や、入出場駅、運賃などの情報をＩＣカード１２に書き込む処理を施す。
【００１９】
携帯端末１４は、上位装置１０が作成したＷＥＢサイトにアクセスし、利用履歴２０を閲覧するための機器の一つとして例示したものである。携帯端末１４は、利用者が所持する携帯端末１４であり、撮像機能や、ＷＥＢアクセス機能を備えている、例えば、携帯電話や、スマートフォンである。
【００２０】
次に、図２を参照して、ＩＣカード１２について説明する。図２は、実施形態に係るＩＣカード１２が記憶する利用履歴２０の一例を示した図である。
【００２１】
ＩＣカード１２は、改札機１３などの駅務機器と無線通信を行い、その利用履歴２０を記憶する。図２に示した例では、日付、種別、利用駅、種別、利用駅、残額を一つの利用履歴２０として記憶する。ただし、ＩＣカード１２が記憶できる利用履歴２０の履歴件数には制限が存在する。そのため、利用履歴２０の履歴件数が制限を超えた場合には、日付の古いデータから順に削除される。
【００２２】
次に、図３を参照して、券媒体処理装置１１の構成例について説明する。図３は、実施形態に係る券媒体処理装置１１の機能構成の一例を示す図である。
【００２３】
券媒体処理装置１１は、制御部３０と、通信部３１と、読取部３２と、記憶部３３と、表示部３４と、操作部３５と、変換部３６と、精算部３７と、搬送部３８と、印刷部３９と、発行部４０と、音声部４１と、投入部４２と、を備える。券媒体処理装置１１は、制御部３０により装置全体が制御される。
【００２４】
制御部３０は、例えば、ＣＰＵ（Central Processing Unit）などにより構成される。制御部３０は、記憶部３３に記憶されている種々のプログラムを実行することにより種々の処理機能を実現する。
【００２５】
読取部３２は、利用者から提示されるＩＣカード１２、もしくは新規発行するＩＣカード１２とのデータの送受信を行う。読取部３２は、ＩＣカード１２にコマンドを供給し、供給したコマンドに対するレスポンスをＩＣカード１２から受信する。例えば、読取部３２は、ＩＣカード１２に書込みコマンドを送信することにより、ＩＣカード１２に情報を書き込む書込み手段として機能する。また、読取部３２は、ＩＣカード１２に読出しコマンドを送信することにより、ＩＣカード１２から改札への入出場処理に必要な券情報や、ＩＣカード１２の利用履歴２０を読み取る読取手段としても機能する。
【００２６】
通信部３１は、上位装置１０とデータの送受信を行うものである。例えば、通信部３１は、通信回線を介して、読取部３２が読み取った識別番号を上位装置１０へ送信する。また、通信部３１は、識別番号毎に利用履歴２０が閲覧できるＷＥＢサイトのＵＲＬを上位装置１０から受信する。
【００２７】
記憶部３３は、ＲＯＭ（Read Only Memory）やＲＡＭ（Random Access Memory）、データメモリで構成される。ＲＯＭは、予めデータが記憶されている不揮発性のメモリで構成される。例えば、ＲＯＭには、制御部３０により実行される制御プログラムや制御データなどが記憶されている。ＲＡＭは、一時的にデータを記憶する揮発性メモリで構成される。例えば、ＲＡＭは、制御部３０にて実行される制御プログラムなどのバッファメモリとして機能する。データメモリは、書き換え可能な不揮発性メモリにより構成される。データメモリには、例えば、運賃情報や図示しないホストコンピュータからダウンロードされたデータなどが記憶されている。
【００２８】
表示部３４は、各種の処理結果や、利用者に対する案内表示、利用履歴などを表示するものである。操作部３５は、乗車券を発行するため、もしくは、利用履歴を表示するため、などの処理に必要な情報の入力を受け付けるものである。利用者は、操作部３５により種々の要求を操作入力する。なお、表示部３４及び操作部３５は、タッチパネル内臓の表示装置により一体に形成されてもよい。
【００２９】
変換部３６は、文字列を暗号化（符号化）し、二次元コード６６に変換するものである。変換部３６は、上位装置１０から送信されるＵＲＬを二次元コード６６に変換する。
【００３０】
精算部３７は、利用者によって投入された現金あるいは金額カード（すなわちストアードフェアカードやクレジットカードなど）の金額を処理する。
【００３１】
搬送部３８は、券媒体処理装置１１の内部で券媒体を搬送する。例えば、券面に情報がまだ記載されていないブランク状態の原券媒体を取り出し、印刷部３９、発行部４０へと順に搬送する。
【００３２】
印刷部３９は、搬送部３８により搬送された原券媒体に対して、可視インクにより券情報に対応した券面情報を印刷する。印刷部３９は、感熱紙である原券媒体に対して熱を印加する構成であっても良いし、原券媒体に向けて可視インクを吐出する構成であっても良い。このような印刷部３９によって印刷される券面情報（発駅、運賃など）は、操作部３５を介して入力された情報などに基づいて生成される。
【００３３】
発行部４０は、券媒体や、後述する明細書７０を発行する発行口としての機能と、券媒体が挿入される挿入口としての機能を果たす。
【００３４】
音声部４１は、利用者に対して券媒体の発行に必要な各種操作を案内する音声や、発行する券媒体の内容などの種々の情報を案内する音声などを図示しないスピーカーから出力する。
【００３５】
投入部４２は、図示しない入金部及び釣銭排出部を有して構成される。入金部は、例えば、券媒体の購入や、ＩＣカード１２への入金（チャージ）などをするための料金を支払うためのものであり、紙幣や硬貨を投入することができる。また、釣銭排出部は、入金が必要料金を超える場合に釣銭を排出する。
【００３６】
次に、図４を参照して、上位装置１０の構成例について説明する。図４は、実施形態に係る上位装置１０の機能構成の一例を示す図である。
【００３７】
上位装置１０は、上位装置側制御部５０と、上位装置側通信部５１と、上位装置側記憶部５４と、サイト作成部５２と、電子ファイル出力部５３と、上位装置側記憶部５４と、パス判定部５５と、を備える。上位装置１０は、上位装置側制御部５０により装置全体が制御される。
【００３８】
上位装置側制御部５０は、例えば、ＣＰＵ（Central Processing Unit）などにより構成される。上位装置側制御部５０は、上位装置側記憶部５４に記憶されている種々のプログラムを実行することにより種々の処理機能を実現する。
【００３９】
上位装置側通信部５１は、券媒体処理装置１１とデータの送受信をおこなうものである。例えば、上位装置側通信部５１は、通信回線を介して、読取部３２が読み取った利用履歴２０を券媒体処理装置１１から受信する。また、通信部３１は、後述するサイト作成部５２が作成した利用履歴２０が記載されたＷＥＢサイトのＵＲＬを券媒体処理装置１１へ送信する。
【００４０】
上位装置側記憶部５４は、ＲＯＭ（Read Only Memory）やＲＡＭ（Random Access Memory）、データメモリで構成される。ＲＯＭは、予めデータが記憶されている不揮発性のメモリで構成される。例えば、ＲＯＭには、上位装置側制御部５０により実行される制御プログラムや制御データなどが記憶されている。ＲＡＭは、一時的にデータを記憶する揮発性メモリで構成される。例えば、ＲＡＭは、上位装置側制御部５０にて実行される制御プログラムなどのバッファメモリとして機能する。データメモリは、書き換え可能な不揮発性メモリにより構成される。データメモリには、例えば、後述するサイト作成部５２が作成したＷＥＢサイトのデータ（ＨＴＭＬデータ）などが記憶されている。
【００４１】
サイト作成部５２は、券媒体処理装置１１から受信した利用履歴２０に基づいて、利用者に提供するためのＷＥＢサイトをＩＣカード１２の識別番号ごとに作成し、一定期間記憶する。なお、一定期間とは任意の期間であって、例えば、１週間などとしても良い。ＷＥＢサイトの存続期間に制限を設けることにより、上位装置１０の負荷を低減するとともに、セキュリティの向上に繋がる。例えば、サイト作成部５２は、利用履歴閲覧ページ９０を作成し、記憶する。
【００４２】
また、サイト作成部５２は、受信した識別番号及びパスによりログイン可能なログインページ８０を作成する。ログインページ８０にログインするためのパスは、例えば、識別番号の下４桁とする。
【００４３】
電子ファイル出力部５３は、利用者が利用履歴をサイトから電子ファイルとしてダウンロードできるように、利用履歴を電子ファイルに出力する。
【００４４】
パス判定部５５は、利用者によりログインページ８０で入力されたパスが、表示される利用履歴を記録していたＩＣカード１２の識別番号の下４桁の数字と一致するか否かを判定する。
【００４５】
次に、図５及び図６を参照して、券媒体処理装置１１に表示される利用履歴２０の表示画面の一例について説明する。図５は、実施形態に係る券媒体処理装置１１に表示される利用履歴２０の表示画面の一例を示す図である。
【００４６】
図５の利用履歴表示画面には、利用履歴２０、複数の操作ボタン、二次元コード６６表示領域が例示されている。
【００４７】
利用履歴２０は、利用者から提示されるＩＣカード１２から読み取ったＩＣカード１２の利用履歴２０が一覧表示される。
【００４８】
複数の操作ボタンは操作部の一つである。券媒体処理装置１１は、「二次元コード表示」ボタン６１が押下されると、二次元コード表示領域６５に二次元コード６６を表示するための処理を行う。また、「印字（二次元コードなし）」ボタン６３が押下されると、券媒体処理装置１１は、利用履歴２０を紙媒体に印字して明細書７０を発行するための処理を行う。
【００４９】
同様に、「印字（二次元コードあり）」ボタン６２が押下されると、二次元コード６６が印字された明細書７０を発行する。「終了」ボタン６４が押下されると、券媒体処理装置１１は、利用履歴２０に関する処理を終了させる。
【００５０】
二次元コード表示領域６５は、操作入力により、「二次元コード表示」ボタン６１が押下された場合に、二次元コード６６を表示するための領域である。
【００５１】
図６は、実施形態に係る券媒体処理装置１１に二次元コード６６を表示させた表示画面の一例を示す図である。操作入力により、「二次元コード表示」ボタン６１が押下された場合、二次元コード表示領域６５に二次元コード６６が表示される。
【００５２】
利用者は、二次元コード６６が券媒体処理装置１１の表示部３４に表示されることで、利用者が所持している携帯端末１４を用いて二次元コード６６を読み取り、利用履歴２０が閲覧可能なＷＥＢサイトにアクセスすることができる。
【００５３】
次に、図７を参照して、利用履歴２０が印字された明細書７０の一例について説明する。
【００５４】
図７は、実施形態に係る券媒体処理装置１１が発行する明細書７０の一例を示す図である。
【００５５】
明細書７０は、券媒体処理装置１１に表示される利用履歴表示画面６０において、「印字（二次元コードあり）」ボタン６２もしくは「印字（二次元コードなし）」ボタン６３が押下された場合に発行される。ただし、図７に例示する明細書７０は、「印字（二次元コードあり）」ボタン６２が押下され、二次元コード６６が付されたものである。
【００５６】
明細書７０には、ＩＣカード１２の識別番号と、利用履歴２０と、二次元コード６６と、発行日時と、発行者と、が記載される。
【００５７】
利用履歴２０は、券媒体処理装置１１に提示されたＩＣカード１２から取得した利用履歴２０に基づいて表示される。
【００５８】
発行日時及び発行者は、券媒体処理装置１１に提示されたＩＣカード１２から利用履歴２０を取得した日時、利用履歴２０を取得した券媒体処理装置１１の設置場所管理者が表示される。
【００５９】
識別番号の下４桁は、ＷＥＢサイトにログインするためのパスとして使用されるため、明細書７０を紛失した場合は悪用されてしまう可能性がある。そのため、明細書７０には、識別番号の一部が表示される。例えば、識別番号の下４桁がアスタリスク（＊）で表示される。或いは、識別番号の下４桁を判別できないように、数字以外の文字や記号表示するとしても良いし、識別番号の下４桁を表示しないとしても良い。
【００６０】
次に、図８を参照して、ＷＥＢサイトのログインページ８０の一例について説明する。
【００６１】
図８は、実施形態に係る上位装置１０が作成するログインページ８０の一例を示す図である。
【００６２】
ログインページ８０は、利用者にパスを入力させる為のパス入力欄８１と、「表示」ボタン（ログインボタン）８２と、が表示される。利用者は、利用履歴２０を閲覧するために、パス入力欄８１に識別番号の下４桁を入力し、「表示」ボタン８２を押下する。
【００６３】
「表示」ボタン８２が押下されると、パス判定部５５は、入力されたパスが識別番号の下４桁と一致するか否かを判定する。入力されたパスが識別番号の下４桁と一致する場合は、利用履歴閲覧ページ９０にアクセスされる。
【００６４】
次に、図９を参照して、利用履歴閲覧ページ９０の一例について説明する。図９は、実施形態に係る上位装置１０が作成する利用履歴閲覧ページ９０の一例を示す図である。
【００６５】
ログインページ８０よりアクセス可能な利用履歴閲覧ページ９０には、カード番号（識別番号）と、利用履歴２０と、発行日時と、発行作成者と、が表示される。
【００６６】
カード番号は、ＩＣカード１２の識別番号である。表示されている識別番号の下４桁については、ログインページ８０においてすでに入力済みであることを考慮して、アスタリスク（＊）での表示はしていないが、アスタリスク（＊）で表示とする設定にしても良い。
【００６７】
利用履歴２０は、券媒体処理装置１１に提示されたＩＣカード１２から取得した利用履歴２０に基づいて表示される。
【００６８】
発行日時及び発行者は、券媒体処理装置１１に提示されたＩＣカード１２から利用履歴２０を取得した日時、利用履歴２０を取得した券媒体処理装置１１の設置場所管理者がそれぞれ表示される。
【００６９】
また、「ＣＳＶ保存」ボタン９１、「ＰＤＦ保存」ボタン９２は、利用履歴２０を電子ファイルとして出力する要求を操作入力するためのボタンを例示したものである。図９では、電子ファイル形式の一般的な名称をボタンに表示させたが、これに限らない。例えば、単に、電子ファイル出力などとしても良い。
【００７０】
次に、図１０を参照して、利用履歴２０を閲覧するためのＷＥＢサイトのＵＲＬを二次元コード６６で券媒体処理装置１１に表示させる際のシーケンスについて説明する。図１０は、実施形態に係る券媒体処理装置１１が二次元コード６６を表示する流れの一例を示すシーケンス図である。
【００７１】
まず、券媒体処理装置１１が備える、操作部３５から制御部３０に対してＩＣカード１２の利用履歴２０の表示が要求される（ＳＴ１０）。その応答として、制御部３０は、提示されるＩＣカード１２から読み取った利用履歴２０を表示部３４に表示させる（ＳＴ１１）。ここで、操作部３５が二次元コード６６表示の要求を受け付けた場合、操作部３５は、制御部３０に二次元コード６６の表示を要求する（ＳＴ１２）。
【００７２】
制御部３０は、上位装置１０に対して利用履歴２０を閲覧するためのＷＥＢサイトの作成を要求し、利用履歴２０を送信する（ＳＴ１３）。その応答として、上位装置１０は、受信した利用履歴２０を表示するためのＷＥＢサイトを作成し、作成したＷＥＢサイトのＵＲＬを制御部３０へ送信する（ＳＴ１４）。ＵＲＬを受信した制御部３０は、変換部３６によりＵＲＬを二次元コード６６に変換（暗号化）させ、当該二次元コード６６を表示部３４に表示させる（ＳＴ１５）。
【００７３】
また、制御部３０は、二次元コード６６を表示させた後に、一定時間の間、操作部３５が操作入力を受け付けなかった場合、表示部３４に表示させていた二次元コード６６を非表示にさせる（ＳＴ１６）。二次元コード６６を非表示にさせるまでの一定時間とは、任意の期間であって、例えば、３０秒などとしても良い。二次元コード６６を一定時間の後に非表示にすることで、利用者が利用履歴表示画面６０を終了させずに立ち去った場合などに、他者によって二次元コード６６を取得されてしまうことを防止することができる。
【００７４】
以上説明した実施形態の券媒体処理装置１１によれば、ＩＣカード１２の利用履歴を閲覧するためのＷＥＢサイトを作成し、ＷＥＢサイトのＵＲＬを二次元コード６６に変換し、券媒体処理装置１１の利用履歴表示画面６０に表示させることで、利用者は自身が所有する携帯端末１４を使用して容易にＷＥＢサイトにアクセスして利用履歴２０を閲覧することができ、或いは、利用履歴２０を電子ファイルとして出力することができる。また、ＷＥＢサイトにアクセスするためのパスをＩＣカード１２の識別番号の下４桁とすることで、サイトのＵＲＬとパスの両方が明細書７０に記載されることを防止し、他者による悪用を防ぐことができる。
【００７５】
なお、上記した実施形態に係る情報提供システム１における処理はいくつかのソフトウェアによって実行することが可能である。このため、上記処理の手順を実行するいくつかのプログラムを格納したコンピュータ読み取り可能な記憶媒体を通じてこれらプログラムを情報提供システム１へインストールして実行するだけで、上記処理を容易に実現することができる。例えば、情報提供システム１は、上記プログラムをネットワーク経由でダウンロードし、ダウンロードしたプログラムを記憶し、プログラムのインストールを完了することができる。或いは、情報提供システム１は、上記プログラムを情報記憶媒体から読み取り、読み取ったプログラムを記憶し、プログラムのインストールを完了することができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１…情報提供システム、１０…上位装置、１１…券媒体処理装置、１２…ＩＣカード、１３…改札機、１４…携帯端末、２０…利用履歴、３０…制御部、３１…通信部、３２…読取部、３３…記憶部、３４…表示部、３５…操作部、３６…変換部、３７…精算部、３８…搬送部、３９…印刷部、４０…発行部、４１…音声部、４２…投入部、５０…上位装置側制御部、５１…上位装置側通信部、５２…サイト作成部、５３…電子ファイル出力部、５４…上位装置側記憶部、６０…利用履歴表示画面、６１…「二次元コード表示」ボタン、６２…「印字（二次元コードあり）」ボタン、６３…「印字（二次元コードなし）」ボタン、６４…「終了」ボタン、６５…二次元コード表示領域、６６…二次元コード、７０…明細書、８０…ログインページ、８１…パス入力欄、８２…「表示」ボタン、９０…利用履歴閲覧ページ、９１…「ＣＳＶ保存」ボタン、９２…「ＰＤＦ保存」ボタン
【図１】
2018147372.tif 000003
【図２】
2018147372.tif 000004
【図３】
2018147372.tif 000005
【図４】
2018147372.tif 000006
【図５】
2018147372.tif 000007
【図６】
2018147372.tif 000008
【図７】
2018147372.tif 000009
【図８】
2018147372.tif 000010
【図９】
2018147372.tif 000011
【図１０】
2018147372.tif 000012